(57)【要約】【課題】ささら桁四周を覆う形態の桁カバーを採用してストリップ階段の見映えを良くするとともに、桁カバーの一部の床側端部を、床面に対して端縁のみが接する形態とすることで、床面に多少の不陸があっても、桁カバーと床面との間にすき間が形成されずに、見映えの良い仕上がりができるストリップ階段を提供することを目的とする。【解決手段】上下階に渡って斜めに設置するストリップ階段１において、ささら桁カバー１８を、ささら桁上面を覆う天面カバー部１８Ｂと、ささら桁側面を覆う側面カバー部１８Ｃと、ささら桁下面を覆う底面カバー部１８Ｄとから構成して、これら各カバー部の床側端部１９を、床面６０に接する形態で斜めにカットして形成し、しかも底面カバー部１８Ｄの床側端部１９Ｄを床面６０に対して端縁のみが接する形態で斜めにカットしていることを前記課題の解決手段とした。【選択図】図１１
2005273191.tif 000002
【特許請求の範囲】
【請求項１】
上下階に渡って斜めに設置されるささら桁と、このささら桁の長手方向に所定間隔で設けられた段板支持部材と、この段板支持部材に支持された複数の段板と、前記ささら桁の四周を覆う桁カバーとを備えたストリップ階段において、
前記ささら桁カバーは、ささら桁上面を覆う天面カバー部と、ささら桁側面を覆う側面カバー部と、ささら桁下面を覆う底面カバー部とからなり、
これら各カバー部の床側端部は、床面に接する形態で斜めにカットされてなり、しかも底面カバー部の床側端部は床面に対して端縁のみが接する形態で斜めにカットされていることを特徴とするストリップ階段。
【請求項２】
請求項１記載のストリップ階段において、
桁カバーを構成する各カバー部は、折り部を介して連結されてなり、かつ、桁カバーの折り部には、折り部を挟んで両側に、折り部に所定の厚さを残して厚さ方向の一方側から他方側に向かって４５°の角度でカットしたＶカット部が形成されていることを特徴とするストリップ階段。
【請求項３】
請求項１または２記載のストリップ階段において、
桁カバーの天面カバー部には、段板支持部を挿通可能とする複数の穴部が形成されていることを特徴とするストリップ階段。
【請求項４】
請求項１〜３のいずれか一項に記載のストリップ階段において、
桁カバーは、合成樹脂製シートを合板に接着して形成された複合合板であることを特徴とするストリップ階段。
【発明の詳細な説明】
【技術分野】
【０００１】
本発明は、上下階に渡って斜めに設置されるささら桁と、このささら桁の長手方向に所定間隔で設けられた段板支持部材と、この段板支持部材に支持された複数の段板と、前記ささら桁の四周を覆う桁カバーとを備えたストリップ階段に関する。
【背景技術】
【０００２】
建物の室内に設けられるストリップ階段が知られている。このストリップ階段は、２枚のささら桁に複数枚の段板を取り付け、これらの段板に手すりを取り付けて構成されている。段板は、ささら桁の上面に釘打ち等により取り付けられた、例えば三角形状の段板支持部材に取り付けられている（例えば特許文献１参照）。
【０００３】
ところが、前記特許文献１では、２枚のささら桁、複数枚の段板および段板支持部材をそれぞれ別個に製作し、それらを組み立ててストリップ階段を完成させているため、製作の手間が多くかかり、また、段板支持部材の取り付けに多くの手間がかかる。そのため、段板支持部材を、精度よく所定位置に取り付けてささら桁と一体化させることが容易ではないという課題がある。
【０００４】
そこで、本出願人は、特願２００３−３７６５５６号公報に記載のように、ささら桁と段板支持部材とを、同一材料から切り出し、一体物として形成することによって、容易に製作できるとともに、ささら桁と段板支持部材との位置を精度よく決めることができ、ささら桁と段板支持部材とを容易に一体化できるストリップ階段を提供した。
【０００５】
これは、図１３に示すような構造のものである。すなわち、このストリップ階段１は、登り方向に向かって右側および左側の左右２枚のささら桁１０、１１と、これらのささら桁１０、１１の上面に、所定間隔で設けられた複数の段板支持部２０と、この段板支持部２０に取り付けられた複数枚の段板３０とを主体として構成されている。
そして、ささら桁は、図１４に示すように、内側桁部材１２と外側桁部材１３との２枚を貼り合わせた後、それぞれの外側にサイドパッキン１４、１５を貼り合わせ、それらを外装部材である桁カバー１６で覆って形成されている。
なお、前記段板３０は、図１３に示すように、所定厚さの合板等で形成されており、その裏面には所定間隔をあけて、２個の角柱３１がその長手方向を段板３０の幅方向に沿わせて互いに平行に取り付けられている。
これら角柱３１は、前記内側桁部材１２と外側桁部材１３との高さの差によって構成されるブロック部２２の高さ寸法よりわずかに小さな寸法に形成されており、段板支持部材２０と係合可能な形状となっている。
また、各内側桁部材１２の段板支持部１２Ｂ、および外側桁部材１３の段板支持部１３Ｂのすべてにも、外装部材であるカバー１７が被せられるようになっている。
【０００６】
このような構造のストリップ階段１においては、図１５に示すように、２枚のささら桁１０、１１は、上部の取り付け部１２Ｄ、１３Ｄが上受け材２５で連結されるとともに、その上受け材２５を被取り付け部５０に釘打ち等で取り付けて固定されている。
また、２枚のささら桁１０、１１の下部の係合溝１２Ｅ、１３Ｅは、室内Ａの床６０の所定位置に固定された下受け材２６に係合し、かつ釘打ち等により固定されている。
【０００７】
一方、桁カバー１６は、合成樹脂、例えばオレフィン製シートを合板に接着して形成された複合合板であるＷS（木質シリーズ）オレフィン合板で形成され、図１４に示すように、内側桁部材１２、外側桁部材１３およびサイドパッキン１４、１５を覆ったとき、断面略コ字形になっており、ささら桁１０、１１の形状に合わせて加工して被せたものである。また、この桁カバー１６の表面には、前記段板支持部２０を挿通可能とする複数の穴部１６Ａがあけられている。
【特許文献１】特開平１１−３０３２１６号公報
【発明の開示】
【発明が解決しようとする課題】
【０００８】
ところで、上記のような構造のストリップ階段１では、前記桁カバー１６は、内側桁部材１２、外側桁部材１３およびサイドパッキン１４、１５を覆ったとき、断面略コ字形になっており、ささら桁１０、１１の全体を覆う構造ではなかった。このため、例えば、設置されたストリップ階段１を裏側から覗くと、ささら桁１０、１１の底面が露出することになり、見映えが良くないという問題があった。
【０００９】
なお、前記断面略コ字形の桁カバー１６に代えて、ささら桁１０の四周を覆うような形態の桁カバー１６ａとすれば、前述した問題を解決することができるが、図１６に示すように、床面６０に不陸などがあると、桁カバー１６ａの底面全体が面に接する形態となるため、不陸の段差分だけ桁カバー１６ａの前面が浮いてしまい、この桁カバー１６ａの床側端部と床面６０との間にすき間Ｓが形成されてしまう。このため、ストリップ階段の下端部分の納まりが悪くなり、きれいに仕上げることができなかった。
【００１０】
本発明は、ささら桁四周を覆う形態の桁カバーを採用してストリップ階段の見映えを良くするとともに、桁カバーの一部の床側端部を、床面に対して端縁のみが接する形態とすることで、床面に多少の不陸があっても、桁カバーと床面との間にすき間が形成されずに、見映えの良い仕上がりができるストリップ階段を提供することを目的とする。
【課題を解決するための手段】
【００１１】
請求項１記載の発明は、上下階に渡って斜めに設置するささら桁１０、１１と、このささら桁１０、１１の長手方向に所定間隔で設けた段板支持部材２０と、この段板支持部材２０で支持した複数の段板３０と、前記ささら桁１０、１１の四周を覆う桁カバー１８とを備えたストリップ階段１において、
前記ささら桁カバー１８を、ささら桁上面を覆う天面カバー部１８Ｂと、ささら桁側面を覆う側面カバー部１８Ｃと、ささら桁下面を覆う底面カバー部１８Ｄとから構成して、
これら各カバー部の床側端部１９を、床面６０に接する形態で斜めにカットして形成し、しかも底面カバー部１８Ｄの床側端部１９Ｄを床面６０に対して端縁のみが接する形態で斜めにカットしていることを前記課題の解決手段とした。
【００１２】
請求項１記載の発明によれば、底面カバー部１８Ｄの床側端部１９Ｄを、床面６０に対して端縁のみが接する形態に斜めにカットすることによって、桁カバー１８の底面カバー部１８Ｄが縁部のみで床面に接し、桁カバー１８の天面カバー部１８Ｂを前側に倒して床面６０と接しさせることができ、床面６０の不陸を吸収して、不陸によって生じる段差部分のすき間を隠すことができる。
また、この桁カバー１８は、天面カバー１８Ｂ、側面カバー１８Ｃ、底面カバー１８Ｄによってささら桁１０、１１の四周を覆うため、ストリップ階段１全体の見映えを良くすることができる。
【００１３】
請求項２記載の発明は、桁カバー１８を構成する各カバー部を、折り部Ｄを介して連結して構成し、かつ、桁カバー１８の折り部Ｄには、折り部Ｄを挟んで両側に、折り部Ｄに所定の厚さを残して厚さ方向の一方側から他方側に向かって４５°の角度でカットしたＶカット部Ｋを形成していることを前記課題の解決手段とした。
【００１４】
請求項２記載の発明によれば、前記Ｖカット部Ｋに沿って、折り部Ｄを折り曲げるとほぼ９０°に折り曲げて各カバー部を組み付けることができ、また、この桁カバー１８がある程度の厚みを有していても、容易に折り曲げてささら桁１０、１１の四周を覆うことができる。
【００１５】
請求項３記載の発明は、桁カバー１８の天面カバー部１８Ｂに、段板支持部材２０を挿通可能とする複数の穴部１８Ａを形成していることを前記課題の解決手段とした。
【００１６】
請求項３記載の発明によれば、段板支持部材２０と穴部１８Ａを挿通させるだけで、この桁カバー１８をささら桁１０、１１に被せる際の位置決めがなされ、この天面カバー部１８Ｂから順々に各カバー部を被せていって、ささら桁１０、１１の四周を覆うことができる。
【００１７】
請求項４記載の発明では、桁カバー１８が、合成樹脂製シートを合板に接着して形成された複合合板であることを前記課題の解決手段とした。
【００１８】
請求項４記載の発明によれば、合成樹脂製シートによって耐水性および耐久性に優れ、また、合成樹脂製シートを残して合板を４５°のＶカット加工ができる。
【発明の効果】
【００１９】
請求項１記載の発明によれば、底面カバー部１８Ｄの床側端部１９Ｄを、床面６０に対して端縁のみが接する形態に斜めにカットすることによって、桁カバー１８の底面カバー部１８Ｄが縁部のみで床面に接し、桁カバー１８の天面カバー部１８Ｂを前側に倒して床面６０と接しさせることができ、床面６０の不陸を吸収して、不陸によって生じる段差部分のすき間を隠すことができる。
また、この桁カバー１８は、天面カバー１８Ｂ、側面カバー１８Ｃ、底面カバー１８Ｄによってささら桁１０、１１の四周を覆うため、外観に優れた見映えのよい仕上がりとなる。
【００２０】
請求項２記載の発明によれば、Ｖカット部Ｋに沿って、折り部Ｄを折り曲げると、ほぼ９０°に折り曲げて各カバー部を組み付けることができ、この桁カバー１８がある程度の厚みを有していても、容易に折り曲げてささら桁１０、１１の四周を覆うことができるので、外観に優れた見映えの良い仕上がりとなる。
【００２１】
請求項３記載の発明によれば、段板支持部材２０と穴部１８Ａを挿通させるだけで、この桁カバー１８をささら桁１０、１１に被せる際の位置決めがなされ、この天面カバー部１８Ｂから順々に桁カバー１８を被せていくことによって、桁カバー１８でささら桁１０、１１の四周を覆うことができるので、外観に優れた見映えの良い仕上がりとなる。
【００２２】
請求項４記載の発明によれば、桁カバー１８が、合成樹脂製シートを合板に接着して形成した複合合板であることから、耐水性および耐久性に優れるとともに、合成樹脂製シートを残して合板を４５°のＶカット加工ができるので、外観にも優れたストリップ階段１とすることができる。
【発明を実施するための最良の形態】
【００２３】
以下、図面を参照して、本発明に係るストリップ階段１の実施の形態を詳細に説明する。なお、本実施の形態のストリップ階段１については、前記特願２００３−３７６５５６号公報に記載されたストリップ階段１と同様の構成部分があるため、説明の便宜上、構成が同じ部分に関しては、同様の符号を用い、構成の異なる部分に関しては、異なる符合を用いて説明する。
【００２４】
本実施の形態のストリップ階段１は、図１に示すように、上下階に渡って斜めに設置されるささら桁１０、１１と、このささら桁１０、１１の長手方向に所定間隔で設けられた段板支持部材２０と、この段板支持部材２０に支持された複数の段板３０と、前記ささら桁１０、１１の四周を覆う桁カバー１８とを主体として構成されている。
【００２５】
前記ささら桁１０、１１は、登り方向に向かって右側、および左側の左右２枚のささら桁１０、１１が用いられ、左右勝手違いに形成されているのみで、構成はほぼ同じなので、以下には右側のささら桁１０で詳細を説明する。
【００２６】
前記ささら桁１０は、図２に示すように、内側桁部材１２と外側桁部材１３との２枚を貼り合わせた後、それぞれの外側にサイドパッキン１４、１５を貼り合わせ、それらを外装部材である桁カバー１８で覆って形成される。
【００２７】
内側桁部材１２は、図３に示すように、それぞれ、本体部１２Ａと、この本体部１２Ａと一体的に形成された複数の段板支持部１２Ｂとを含み形成されている。これらの本体部１２Ａおよび段板支持部１２Ｂは、例えば、所定厚さの合板を、ツールホルダー１０１に取り付けられた鋸刃等の工具１００をＮＣ制御等により加工する機械加工により一体的に切り出して形成されている。
【００２８】
段板支持部１２Ｂは、例えば６箇所にわたって設けられている。また、内側桁部材１２の上端部には取り付け部１２Ｄが形成され、この取り付け部１２Ｄには、図４に示すように、上受け材２５が取り付けられるようになっている。さらに、内側桁部材１２の下端部には係合溝１２Ｅが形成され、この係合溝１２Ｅは、下受け材２６と嵌合可能となっている。このような取り付け部１２Ｄ、係合溝１２Ｅも、本体部１２Ａおよび段板支持部１２Ｂを作る際に、ＮＣ加工等の機械加工により一体的に切り出して形成されている。
【００２９】
なお、取り付け部１２Ｄおよび係合溝１２Ｅは、内側桁部材１２、外側桁部材１３を貼り合わせ、さらに、前記サイドパッキン１４、１５をそれぞれの外側に貼り合わせたとき、図２に示すように、サイドパッキン１４、１５で隠されるようになっている。
【００３０】
また、外側桁部材１３は、内側桁部材１２とほぼ同じような形状となっており、図２に示すように、本体部１３Ａ、段板支持部１３Ｂ、取り付け部１２Ｄ、および係合溝１２Ｅを有するとともに、それらの各部が、内側桁部材１２と同じようにＮＣ加工等の機械加工により一体的に切り出して形成されている。
【００３１】
そして、これらの内側桁部材１２と外側桁部材１３とが貼り合わされたとき、それぞれの段板支持部１２Ａ、１３Ａの上面１２Ｃ、１３Ｃは、内側桁部材１２の上面１２Ｃが外側桁部材１３の上面１３Ｃよりも高くなっており、その内側桁部材１２の高くなった部位がブロック部２２を構成している。
【００３２】
前記サイドパッキン１４、１５は、図２に示すように、幾分薄目の（例えば５．５ｍｍ程度）、例えば合板で形成され、各桁部材の反対部の幅とほぼ同じ寸法の幅および長さに形成されている。
【００３３】
前記段板３０は、図５に示すように、所定厚さの合板等で形成されており、その裏面には所定間隔をあけて、２個の角柱３１がその長手方向を段板３０の幅方向に沿わせて互いに平行に取り付けられている。これらの角柱３１は、例えばラワン合板等の板部材で形成されるとともに、段板３０の長さ方向および幅方向のほぼ中央に配置され、ボンド等の接着剤で接着すると同時にビス等によって段板３０に固定されている。
【００３４】
これら角柱３１は、前記内側桁部材１２の上面１２Ｃと外側桁部材１３の上面１３Ｃとの高さの差、つまり前記ブロック部２２の高さ寸法よりわずかに小さな寸法に形成されており、段板支持部材２０と係合可能な形状となっている。
【００３５】
なお、段板３０は、図５では直方体形状に記載されているが、平板状であれば、円形や楕円形など、任意の形状とすることができる。
【００３６】
前記桁カバー１８は、図６（ａ）に示すように、ささら桁１０の上面を覆う天面カバー部１８Ｂと、ささら桁１０の側面を覆う側面カバー部１８Ｃと、ささら桁１０の下面を覆う底面カバー部１８Ｄとから構成されている。そして、耐水性および耐久性に優れる合成樹脂、例えばオレフィン製シートを合板に接着して形成された複合合板であるＷS（木質シリーズ）オレフィン合板で形成されてなるものである。
また、図６（ｂ）に示すように、裏面から、折り部Ｄが切り出し形成されているとともに、段板支持部材２０を挿通可能とする複数の穴部１８Ａも形成されている。
なお、これら各カバー部、折り部Ｄおよび穴部１８Ａも、内側桁部材１２等と同じようにＮＣ加工等の機械加工で加工される。
【００３７】
前記各カバー部は、図７（ａ）に示すように、ＷSオレフィン合板を切削して前記折り部Ｄが形成されると同時に、各カバー部が形成されており、さらに、図７（ｂ）に示すように、これら各カバー部の床側端部１９が、床面６０に接する形態で斜めにカットされて形成されている。
この時、天面カバー部１８Ｂには、段板支持部材２０を挿通可能にする穴部１８Ａが設けられ、また、底面カバー部１８Ｄの床側端部１９Ｄは床面６０に対して端縁のみが接する形態となるように斜めにカットされている。
なお、穴部１８Ａの穴の周囲寸法は、段板支持部２０の周囲寸法よりも大きく設定され、桁カバー１８を桁部材１２、１３に被せる際に、前記段板支持部２０を容易に挿通させることができるように形成されている。
【００３８】
前記折り部Ｄには、図８（ａ）に示すように、折り線Ｍを挟んで両側に、折り部Ｄに所定の厚さを残して厚さ方向の一方側から他方側に向かって４５°の角度でカットしたＶカット部Ｋが形成されている。そのため、桁カバー１８を折り曲げたとき、折り線Ｍを挟んだ両側の切欠部Ｋが接触し合い、これにより、桁カバー１８に多少の厚みがあっても、容易に、かつ正確に折り曲げることができる。
このような桁カバー１８は、図８（ｂ）に示すように、ささら桁１０を覆ったとき、継ぎ目が２枚のささら桁１０、１１に挟まれた内側に位置するように構成されている。
【００３９】
前記穴部１８Ａは、図９（ａ）に示すように、ＷSオレフィン合板の裏側から表面側にかけて、略円錐状のフライス１００Ａで切り抜かれて形成される。この際、このフライス１００Ａの尖端部分によって表面側が切り抜かれるため、図９（ｂ）に示すように、この桁カバー１８の表面には、直角状の四隅を備えた穴部１８Ａが形成されている。
【００４０】
以上のような形態の桁カバー１８がささら桁１０に被せられることによって、図１０に示すように、ささら桁１０の四周が覆われ、また、断面視すると、底面カバー部１８Ｄの床側端部１９Ｄが端縁のみで床面６０と接する形態となる。
また、この時、桁部材１２、１３と、桁カバー１８とは密着せずに、これらの間にわずかなすき間が形成されている。これは例えば、図１１に示すように、床面に不陸がある場合などに、桁カバー１８の天面カバー部１８Ｂを前側に倒して床面６０と接しさせることができ、床面６０の不陸を吸収して、不陸によって生じる段差部分のすき間を隠すことができるように形成されている。
【００４１】
なお、本実施の形態の桁カバー１８は、ＷSオレフィン合板が用いられたが、これに限定されるものではなく、その要旨を逸脱しない範囲で適宜変更可能である。
例えば、硬質、半硬質、軟質などの感触が可変で、色柄も木目模様、抽象柄、単色などがあり、エンボス加工を施した塩化ビニル樹脂化粧合板などがある。
【００４２】
以上のような構成のストリップ階段１の取り付けは、あらかじめ桁カバー１８を被せた２枚のささら桁１０、１１を、図４に示すように、その上部を上受け材２５で連結するとともに、その上受け材２５を被取り付け部５０に釘打ち等で取り付けて固定する。
【００４３】
また、２枚のささら桁１０、１１の下部を、室内Ａの床６０の所定位置に固定した下受け材２６に係合し、かつ釘打ち等により固定する。この際、図示しない釘を、ささら桁１０、１１の、例えば外側桁部材１３における下端部の斜めとなった前面から下受け材２６に向けて打ち付けて、ささら桁１０、１１の下部と下受け材２６とを固定させ、その後、内側桁部材１２の段板支持部１２Ｂ、および外側桁部材１３の段板支持部１３Ｂにもカバー１７を被せると、釘打ち箇所を隠すことができる。
【００４４】
次に、前記複数の段板３０を段板支持部材２０にそれぞれ取り付けて、図１に示すように、上階と下階を行き来できるようにする。また、全ての段板３０をささら桁１０、１１に取り付けたら、必要に応じて手摺り４０を取り付ける。手摺り４０を設ける場合には、段板３０の手摺り４０を設けるべき位置に手摺り４０取り付け用の穴をあけておく。
【００４５】
そして、このストリップ階段１を取り付けた際に、床面６０に多少の不陸があった場合、図１１に示すように、底面カバー部１８Ｄの床側端部１９Ｄが、床面６０に対して端縁のみが接する形態となっているので、桁カバー１８の底面カバー部１８Ｄが縁部のみで床面に接し、桁カバー１８の天面カバー部１８Ｂを前側に倒して床面６０と接しさせることができ、床面６０の不陸を吸収して、不陸によって生じる段差部分のすき間を隠すことができる。
また、天面カバー１８Ｂ、側面カバー１８Ｃ、底面カバー１８Ｄによってささら桁１０、１１の四周を覆うため、ストリップ階段１全体の見映えを良くすることができる。
これらのことによって、外観に優れた見映えのよい仕上がりのストリップ階段１を提供することができる。
【００４６】
なお、上記のような実施の形態のほかに、例えば、不陸の状態によっては、各カバー部１８の床側端部１９Ｂ、１９Ｃ、１９Ｄを潰して変形させることによって、ストリップ階段１の前面に生じる段差部分のすき間を隠すことができる。
すなわち、各カバー部１８の床側端部１９Ｂ、１９Ｃ、１９Ｄよりも桁材１２（１３）を若干引っ込めた構造のささら桁１０を用いる。このようなささら桁１０を、例えば凹凸が生じたフローリング材６１上に設置すると、図１２に示すように、桁材１２（１３）よりも床側端部１９Ｂ、１９Ｃ、１９Ｄが、先にフローリング材６１に接する。すると、ささら桁１０自体の重みで、これら床側端部１９Ｂ、１９Ｃ、１９Ｄは潰れて変形し、凹凸の形状に馴染むことが出来る。そして、これら床側端部１９Ｂ、１９Ｃ、１９Ｄが凹凸の形状に馴染むことによって、ささら桁１０前面のすき間も隠すことが出来るので外観に優れた見映えのよい仕上がりのストリップ階段１を提供することができる。
【００４７】
また、図示はしないが、底面カバー部１８Ｄの床側端部１９Ｄの作用による実施の形態の他に、天面カバー部１８Ｂに形成された穴部１８Ａの穴周囲の寸法と、段板支持部２０の周囲の寸法との寸法差によっても同様の効果を得ることができる。
【００４８】
これは、ささら桁１０、１１に桁カバー１８を容易に被せるために、前記穴部１８Ａの周囲の寸法を段板支持部２０よりも多少大きくなるように設定していることによって、穴部１８Ａの穴周囲の寸法と、段板支持部２０の周囲の寸法との寸法差に余裕ができるので、床面６０に多少の不陸があっても、この余裕分の範疇で桁カバー１８がずれて、ストリップ階段１の前面に生じる段差部分のすき間を隠すことができる。
【図面の簡単な説明】
【００４９】
【図１】本発明に係るストリップ階段の一実施形態を示す斜視図である。
【図２】ささら桁の一つを示す分解斜視図である。
【図３】ささら桁を構成する内側桁部材を示す側面図である。
【図４】ささら桁の取り付け位置を示す分解図である。
【図５】２枚のささら桁と段板とを示す分解斜視図である。
【図６】桁カバーであって、（ａ）は表側から見た平面図であり、（ｂ）は裏側からみた平面図である。
【図７】桁カバーの加工状態を示し、（ａ）は折り部を形成したことを示す斜視図であり、（ｂ）は各カバー部を形成したことを示す斜視図である。
【図８】桁カバーの被覆状態を示し、（ａ）は桁カバーの折り部を示す断面図であり、（ｂ）は桁カバーをささら桁に被せたことを示す断面図である。
【図９】天面カバーの穴部を示し、（ａ）は裏側から切削することを示す斜視図であり、（ｂ）は表側から見た穴部を示す斜視図である。
【図１０】桁カバーをささら桁に被せた際の下端部分を断面とした、本発明の主要部分を示す斜視図である。
【図１１】桁カバーをささら桁に被せた際の主要部分を示す側断面図である。
【図１２】フローリング材に生じた凹凸に対応する桁カバーの床側端部の状態を示す側断面図である。
【図１３】従来の、２枚のささら桁と段板とを示す分解斜視図である。
【図１４】従来の、ささら桁の一つを示す分解斜視図である。
【図１５】従来の、ささら桁の取り付け位置を示す分解図である。
【図１６】ささら桁の四周を覆う形態の桁カバーであって、床面の不陸を吸収できずにすき間が形成されたことを示す側断面図である。
【符号の説明】
【００５０】
１  ストリップ階段
１０  ささら桁（右側）
１１  ささら桁（左側）
１２  内側桁部材
１３  外側桁部材
１４、１５  サイドパッキン
１８  桁カバー
１８Ａ  穴部
１８Ｂ  天面カバー部
１８Ｄ  底面カバー部
１９  床側端部
１９Ｄ  底面カバー部の床側端部
２０  段板支持部材
３０  段板
６０  床面
６１  フローリング材（凹凸）
Ａ  室内
Ｄ  折り部
Ｋ  Ｖカット部
【図１】
2005273191.tif 000003
【図２】
2005273191.tif 000004
【図３】
2005273191.tif 000005
【図４】
2005273191.tif 000006
【図５】
2005273191.tif 000007
【図６】
2005273191.tif 000008
【図７】
2005273191.tif 000009
【図８】
2005273191.tif 000010
【図９】
2005273191.tif 000011
【図１０】
2005273191.tif 000012
【図１１】
2005273191.tif 000013
【図１２】
2005273191.tif 000014
【図１３】
2005273191.tif 000015
【図１４】
2005273191.tif 000016
【図１５】
2005273191.tif 000017
【図１６】
2005273191.tif 000018